(57)【特許請求の範囲】
【請求項１】
掘削された溝の両側に設置された土留めパネル間に突っ張り施工され、埋設すべきパイプを吊下するパイプ吊下装置のためのパイプ取付装置であって、
前記パイプ吊下装置を、中央に位置することになる装置本体に対して上下方向の位置調整可能な縦軸と、前記パイプ吊下装置の横方向に対して伸縮自在で前記装置本体を位置調整自在に支持する横軸とを備えたものとし、
前記パイプ取付装置を、前記縦軸の下端に連結されるベースと、このベースに連結されて、前記パイプを掴む左右一対のホルダーアームと、これらのホルダーアームの少なくとも一方を、他方に対して開閉させる開閉機構とを備えたものとするとともに、
前記各ホルダーアームを、その内側面が前記パイプの外形に沿うような左右同形の円弧状にするとともに、前記各ホルダーアームの先端部を、前記パイプの中心を通る水平線より下側に延在させて、前記パイプの外面に当接する係止部としたことを特徴とするパイプ吊下装置のためのパイプ取付装置。
【請求項２】
前記開閉機構を、前記各ホルダーアームのいずれか少なくとも一方の上端部に取り付けた連結部材と、この連結部材に回動可能に連結された開閉軸と、この開閉軸に連結した連結ブロックと、この連結ブロックに連結した開閉部材とにより構成したことを特徴とする請求項１に記載のパイプ吊下装置のためのパイプ取付装置。
【請求項３】
前記開閉機構を前記両ホルダーアームの上端部間に差し込まれるものとして、前記両ホルダーアームの閉じを行うようにするとともに、前記ホルダーアームのいずれか少なくとも一方の開放を枢軸に掛装したスプリングによって行うようにしたことを特徴とする請求項１に記載のパイプ吊下装置のためのパイプ取付装置。
【請求項４】
前記開閉機構を、枢軸によって前記ベースに回動可能に連結される小判型のものとするとともに、この開閉機構をハンドルによって回動操作するようにしたことを特徴とする請求項１に記載のパイプ吊下装置のためのパイプ取付装置。
【発明の詳細な説明】
【技術分野】
【０００１】
本発明は、地中に埋設する下水道管やヒューム管等のパイプを、溝内の所定位置に吊下するためのパイプ吊下装置のためのパイプ取付装置に関し、特に、このパイプ吊下装置によるパイプ保持を確実にし、さらにこのパイプ吊下装置自体の撤去作業をも行い易くするパイプ取付装置に関するものである。
【背景技術】
【０００２】
例えば、パイプの一種である下水道管を敷設する工事では、地面を掘削して溝を形成し、この溝内にパイプを敷設するようにしているが、その際には、下水の安定的な流下を促すために、下水道管の勾配を精密に設定しなければならない。そのため、従来では、特許文献１にも提案されているように、上記溝の両側に設置された土留めパネルまたは矢板間に、パイプ敷設作業を容易にするためのパイプ吊下装置が用いられていた。
【０００３】
特許文献１の技術によれば、当該文献の段落００１０に記載されているような「大型のパイプであってもパイプ吊下げ時の位置決めを容易に行うことができ、作業性も向上させることができるパイプ吊下装置を提供すること」という目的が達成できたものであるが、そのパイプ取付部については、図１０にも示すように、「クランプ部（パイプを取り付けるところ）を、調整棒の下端が回動可能に貫通されて連結される上下方向の貫通孔を穿設した連結部と、この連結部に穿設された横方向の孔に螺合して、先端が調整棒の端部に当接する蝶ねじを有したものとして、この蝶ねじを緩めておいたときにはクランプ部を調整棒に対して回動させることができ、この蝶ねじを締め付けておいたときにはクランプ部を調整棒に対して固定するようにした」ものである。
【０００４】
つまり、この特許文献１のパイプ吊下装置では、そのクランプ部（以下では、本発明で表現しているパイプ取付装置と言うこととする）を、縦軸部の下端部を挟持して支持する二枚の連結板によって構成し、これら各連結板の下面に、埋設すべきパイプの曲面に合う曲面を形成して、当該パイプ取付部がパイプにピッタリと当接するようにしているものであり、当接させた後に、パイプ取付部とパイプとは、図１０中の符号「２４」で示された「ひも」によってしっかりと留めるようにしたものである。
【先行技術文献】
【特許文献】
【０００５】
【特許文献１】特許第４１６８２４６号掲載公報
【発明の概要】
【発明が解決しようとする課題】
【０００６】
「ひも」によってしっかりと留められたパイプの周囲には、図１１にも示すように、埋め戻し用の土砂が入れられ、バイブレータ等を使用してしっかりと固めることにより、当該パイプの、所定の傾斜角度で位置決めしたままの状態での埋設ができることになる。このとき、パイプが完全に埋設されるまでの間は、折角決めたパイプの位置がズレないようにするために、パイプ取付部とパイプとは「ひも」によってしっかりと留めたままにしておかなければならない。その結果、パイプが完全に埋設された後には、上記「ひも」も埋設されてしまうことになり、しかも、この「ひも」はパイプの下側にも回り込んでいる。
【０００７】
そうなると、パイプの埋設が済んで、パイプ吊下装置を取り外す際に、パイプ取付部は板状であるから簡単に抜けるが、「ひも」は殆ど抜くことができない状態となっている。この「ひも」は埋設部品とすればよいが、重いパイプを吊下する「ひも」である場合、また当該パイプ吊下装置専用のものである場合、工費全体を増大させる原因となる。  
【０００８】
そこで、本発明者等は、この種のパイプ吊下装置において、パイプ取付部とパイプとの一体化を確実に行えて、しかも上記の「ひも」におけるような問題のないようにするにはどうしたらよいか、について種々検討を重ねてきた結果、本発明を完成したのである。
【０００９】
すなわち、本発明の目的とするところは、パイプ取付部、つまりパイプ吊下装置とパイプとの一体化を確実に行え、埋設後のパイプの周囲から簡単に外せ、さらには再使用を簡単に行うことのできるパイプ吊下装置用のパイプ取付装置を提供することにある。
【課題を解決するための手段】
【００１０】
以上の課題を解決するために、まず、請求項１に係る発明の採った手段は、後述する最良形態の説明中で使用する符号を付して説明すると、
「掘削された溝の両側に設置された土留めパネル４０間に突っ張り施工され、埋設すべきパイプＰを吊下するパイプ吊下装置１００のためのパイプ取付装置１０であって、
パイプ吊下装置１００を、中央に位置することになる装置本体１００Ａに対して上下方向の位置調整可能な縦軸２０と、パイプ吊下装置１００の横方向に対して伸縮自在で装置本体１００Ａを位置調整自在に支持する横軸３０とを備えたものとし、
パイプ取付装置１０を、縦軸２０の下端に連結されるベース１１と、このベース１１に連結されて、パイプＰを掴む左右一対のホルダーアーム１２・１２と、これらのホルダーアーム１２・１２の少なくとも一方を、他方に対して開閉させる開閉機構１４とを備えたものとするとともに、
各ホルダーアーム１２を、その内側面がパイプＰの外形に沿うような左右同形の円弧状にするとともに、各ホルダーアーム１２の先端部を、パイプＰの中心５０を通る水平線５１より下側に延在させて、パイプＰの外面に当接する係止部１２ａとしたことを特徴とするパイプ吊下装置１００のためのパイプ取付装置１０」
である。
【００１１】
すなわち、この請求項１に係るパイプ取付装置１０は、図１に示すように、パイプ吊下装置１００を構成している縦軸２０の下端に連結されて、直接パイプＰを掴むことになるものである。このパイプ取付装置１０が掴んだパイプＰの位置は、パイプ吊下装置１００の縦軸２０や横軸３０の位置を予め調整することによって、設計された位置になるようになっている。なお、パイプ吊下装置１００は、一本のパイプＰに対して複数のものが使用されるため、当該パイプ取付装置１０もパイプ吊下装置１００の数に応じて一本のパイプＰに複数が採用されることになる。
【００１２】
このパイプ取付装置１０を構成しているベース１１は、上述したように、パイプ吊下装置１００を構成している縦軸２０の下端に連結されるものであるが、この連結を行うために、当該ベース１１には、図２の（ｂ）等に示すように、ネジ穴２１が形成してある。勿論、このネジ穴２１は、縦軸２０とベース１１との連結が行えるのであれば、文字通りの「ネジ穴」である必要はなく、他の構成のものであってもよい。
【００１３】
このベース１１には、図１等に示すように、パイプＰを側面から掴むための左右一対のホルダーアーム１２・１２が連結される。これら左右一対のホルダーアーム１２・１２のベース１１に対する連結は、図１〜図７の実施例にあっては、それぞれ一本づつの枢軸１３によって互いに向けて揺動可能にしてあり、図８の実施例にあっては、一方（図示左側）のホルダーアーム１２について枢軸１３を介して揺動可能にしておき、他方（図示右側）については枢軸１３と固定ネジによって固定的に行うものである。
【００１４】
また、各ホルダーアーム１２の形状としては、図１等に示すように、左右同形の半円弧状にしてあって、その内側のパイプ当接面は、パイプＰの外形に沿うような円弧になっている。これにより、両ホルダーアーム１２によってパイプＰを掴んだとき、パイプＰの中心５０が縦軸２０の直下になるようにしてある。なお、この円弧の大きさは、吊下すべき、つまり掴むべきパイプＰの外形に合わせてあるが、後述するように、パイプＰの外形より少し大小があっても、パイプＰの掴みは十分行えるし、縦軸２０の直下にパイプＰの中心５０を位置させることができる。
【００１５】
これらのホルダーアーム１２・１２は、開閉機構１４によって、その少なくとも一方が、他方に対して開閉される。開閉機構１４は、後述する実施例におけるように種々なタイプのものがあるが、図１〜図７に示した実施例においては、両方のホルダーアーム１２が互いに開閉し合うようにしたものであり、図８に示した実施例においては、一方（図示左側）のみが他方に対して開閉されるようにしたものである。このことが、両ホルダーアーム１２の少なくとも一方が、他方に対して開閉されるという意味である。
【００１６】
以上のように構成したパイプ取付装置１０は、例えば図２の（ａ）に示すように、ベース１１と、これに連結した一対のホルダーアーム１２と、これらホルダーアーム１２の開閉を行う開閉機構１４とを備えたものであるから、非常にコンパクトで軽量なものになっているだけでなく、図１にも示すように、横軸３０を縮めたパイプ吊下装置１００と同程度の大きさになっているから、扱い易いものとなっている。換言すれば、このパイプ取付装置１０とパイプ吊下装置１００とを分離した際には、保管や運搬に便利となっているだけでなく、パイプ吊下装置１００を構成している縦軸２０の下端への連結も容易に行えるものとなっているのである。
【００１７】
また、このパイプ取付装置１０の各ホルダーアーム１２は、その内側面がパイプＰの外形に沿うような円弧を有して、左右同形の円弧状になっているから、例えば図１１に示した一枚もののパイプ取付部とは異なって、大きな面積の材料を必要としないだけでなく、型成形する場合には、１種類の型だけで製造可能となっている。
【００１８】
そして、このパイプ取付装置１０によって掴んだパイプＰの周囲を埋め戻した後において、開閉機構１４を操作することによって、ホルダーアーム１２・１２の少なくとも一方を他方に対して、あるいは両ホルダーアーム１２を互いに開方させる。
【００１９】
開閉機構１４を操作すると、図２の実施例では、各ホルダーアーム１２上端部の連結部材１２ｂが左右に移動して枢軸１３より下側部分が左右に広がり、図４の実施例では、図５に示すように、くさびロック１４ｇが両ホルダーアーム１２の上端部間から抜かれて、両スプリング１５によって枢軸１３より下側部分が左右に広がるのである。
【００２０】
また、図６の実施例では、小判型の開閉機構１４を操作することは、これに係合させたハンドル１６を回動することを意味するが、この場合の開閉機構１４は、両ホルダーアーム１２の上端部間を広げていたものである。ハンドル１６によって開閉機構１４による両ホルダーアーム１２の上端部間の広げが解除されると、図７の（ｂ）に示すように、各ホルダーアーム１２の枢軸１３より下側部分はスプリング１５によって広げられることになるのである。
【００２１】
そして、図８に示す実施例では、前述した通り、図示右側のホルダーアーム１２がベース１１に対して固定的に連結してあり、図示左側のホルダーアーム１２がベース１１に対して開閉可能に連結してある。図示左側のホルダーアーム１２の上部には、ネジ軸１７の図示左端が回動可能に連結してあって、このネジ軸１７の他の部分は図示右側のホルダーアーム１２の上部に対して螺進螺退可能に連結してある。図８に示す実施例では、このネジ軸１７と次に述べるハンドル１６とで開閉機構１４が構成されている。
【００２２】
このネジ軸１７の図示右端には、当該ネジ軸１７を回転させるためのハンドル１６がとりつけてあるから、このハンドル１６を操作してネジ軸１７を回転させることにより、図示左側のホルダーアーム１２が進退することになるのである。図８では、図示左側のホルダーアーム１２がネジ軸１７によって閉じた位置まで押された状態が記載してあるが、上述したハンドル１６を回転させることにより、図示左側のホルダーアーム１２は開放される位置まで引かれることになるのである。
【００２３】
開閉機構１４の操作によって、ホルダーアーム１２・１２の少なくとも一方が、他方に対して開放させるためには、これら両ホルダーアーム１２に掛かっている土圧に対抗しなければならないが、各ホルダーアーム１２の厚さは、図２、図４、図６、及び図８の各（ａ）に示すように、非常に薄いものであり、しかも開閉機構１４は螺進螺退を原則としているから、十分対抗できる。つまり、開閉機構１４の操作によって各ホルダーアーム１２の開閉は十分可能になっているのである。勿論、これらのホルダーアーム１２が位置する部分での埋め戻し土の固めを、当該パイプ取付装置１０を外した後に行うようにすればよい。
【００２４】
両ホルダーアーム１２が埋め戻し土の中で完全に開放され、当該パイプ取付装置１０からパイプ吊下装置１００が外されれば、当該パイプ取付装置１０はそのまま引き抜けば施工現場から外せるのであり、各ホルダーアーム１２についても、再使用できることは言うまでもない。勿論、当該パイプ取付装置１００は、従来技術を示す図１０〜図１２に示したような「ひも」は全く使用していないのであるから、当該パイプ取付装置１０を取り外す際に「ひも」を抜く必要はない。
【００２５】
ところで、このパイプ吊下装置１００のためのパイプ取付装置１０については、その各ホルダーアーム１２の先端部を、パイプＰの中心５０を通る水平線５１より下側に延在させて、パイプＰの外面に当接する係止部１２ａとすることも可能である。
【００２６】
図２の（ａ）に示すパイプ取付装置１０は、各ホルダーアーム１２の先端部を係止部１２ａとしてものであり、この係止部１２ａは、パイプＰの中心５０を通る水平線５１より下側に延在して、パイプＰの外面に当接するものである。パイプＰは円筒として形成されるものであるから、パイプＰの中心５０を通る水平線５１より下側にあるパイプＰの外面は、当然に、パイプＰの下側に回り込んだ位置にある。
【００２７】
各ホルダーアーム１２の係止部１２ａが、パイプＰの下側に回り込んだ外面に当接するということは、結局、各ホルダーアーム１２及びその係止部１２ａによってパイプＰのほぼ全体が抱き抱えられるということになるのであるから、当該パイプ取付装置１０によるパイプＰの掴みは、完全になるのである。換言すれば、各ホルダーアーム１２の、係止部１２ａ以外の部分に、パイプＰを掴むための加工を施すことが全く不要となるのであり、パイプＰの両ホルダーアーム１２による掴みが効率的に行える。
【００２８】
このパイプ取付装置１０は、各ホルダーアーム１２に特別な加工を施さなくても、パイプＰの掴みが確実に行えるものとなっている。
【００２９】
さらに、このパイプ取付装置１０については、その左右一対のホルダーアーム１２・１２を枢軸１３によってベース１１に回動自在に連結して、これらのホルダーアーム１２・１２を開閉機構１４によって互いに開閉させるようにすることも可能である。
【００３０】
このパイプ取付装置１０では、上述してきたそれが、開閉機構１４によって、両ホルダーアーム１２・１２の少なくとも一方を、他方に対して開閉させるようにしたものであるのに対し、両ホルダーアーム１２共それぞれの枢軸１３によってベース１１に回動自在に連結して、開閉機構１４によって互いに同時に開閉させるようにしたものである。
【００３１】
一つの開閉機構１４によって両ホルダーアーム１２の開閉が行われるのであるから、両ホルダーアーム１２によるパイプＰの掴み操作は勿論、パイプＰを掴んでいた両ホルダーアーム１２の開放操作も、非常に効果的、つまり短時間内に行える。このようにしたパイプ取付装置１０は、開閉操作を短時間で行えるものとなっている。
【００３２】
以上の結果、この請求項１に係るパイプ取付装置１０は、パイプ吊下装置１００とパイプＰとの一体化を確実に行え、埋設後のパイプＰの周囲から簡単に外せ、さらには再使用を簡単に行えるものとなっているのである。
【００３３】
上記課題を解決するために、請求項２に係る発明の採った手段は、上記請求項１に記載のパイプ吊下装置１００のためのパイプ取付装置１０について、
「開閉機構１４を、各ホルダーアーム１２のいずれか少なくとも一方の上端部に取り付けた連結部材１２ｂと、この連結部材１２ｂに回動可能に連結された開閉軸１４ｂと、この開閉軸１４ｂに連結した連結ブロック１４ａと、この連結ブロック１４ａに連結した開閉部材１４ｃとにより構成したこと」
である。
【００３４】
この請求項２のパイプ取付装置１０にあっては、その開閉機構１４を操作すると、図２及び図３の各（ａ）の比較から理解できるように、各ホルダーアーム１２上端部の連結部材１２ｂが左右に移動して、各ホルダーアーム１２の枢軸１３より下側部分が左右に開閉するのであり、これによって、各ホルダーアーム１２の開閉がなされるのである。
【００３５】
具体的には、図２の（ａ）に示す状態は、各ホルダーアーム１２を閉じてパイプＰを掴んだものであるが、この状態から各ホルダーアーム１２を開放するには、まず開閉部材１４ｃを、図３の（ａ）に示す矢印のように、図示上方に移動させるのである。この開閉部材１４ｃには連結ブロック１４ａを介して各開閉軸１４ｂの内端が連結してあるから、開閉部材１４ｃが上動することによって各開閉軸１４ｂを引き込むことになる。そして、各開閉軸１４ｂには連結部材１２ｂを介して各ホルダーアーム１２の上部が連結してあるから、各ホルダーアーム１２は枢軸１３を中心に係止部１２ａを開放する方向に回動されるのである。勿論、各ホルダーアーム１２を閉じるには、以上の操作の逆、つまり開閉部材１４ｃを下動させればよいことは、言うまでもない。
【００３６】
特に、この請求項２のパイプ取付装置１０にあっては、その開閉機構１４が上記のようになっていて、開閉部材１４ｃの上下操作によって各ホルダーアーム１２の開放を行うのであるから、各ホルダーアーム１２に土圧が掛かっていても、開放操作は十分行える。
【００３７】
従って、この請求項２に係るパイプ取付装置１０にあっては、上記請求項１のそれと同様な機能を発揮する他、開閉部材１４ｃの上下操作のみによって各ホルダーアーム１２の開放操作が行えるものとなっているのである。
【００３８】
上記課題を解決するために、請求項３に係る発明の採った手段は、上記請求項１に記載のパイプ吊下装置１００のためのパイプ取付装置１０について、
「開閉機構１４を両ホルダーアーム１２の上端部間に差し込まれるものとして、両ホルダーアーム１２の閉じを行うようにするとともに、ホルダーアーム１２のいずれか少なくとも一方の開放を枢軸１３に掛装したスプリング１５によって行うようにしたこと」
である。
【００３９】
この請求項３に係るパイプ取付装置１０の、上述したものと大きく異なる点は、ホルダーアーム１２の開放を、枢軸１３に掛装したスプリング１５によって行い、ホルダーアーム１２の閉じ、及びこの閉じ状態の維持を、両ホルダーアーム１２の上端部間に開閉機構１４を差し込むことによって行うようにしていることである。換言すれば、このパイプ取付装置１０における開閉機構１４は、枢軸１３に掛装したスプリング１５による付勢力と、両ホルダーアーム１２の上端部間に差し込まれる力とによって機能するものになっている。
【００４０】
このため、開閉機構１４を操作すると、図５に示すように、くさびロック１４ｇが両ホルダーアーム１２の上端部間から抜かれて、両スプリング１５によって枢軸１３より下側部分が左右に広がるのである。
【００４１】
従って、この請求項３に係るパイプ取付装置１０にあっては、上記請求項１のそれと同様な機能を発揮する他、「クサビ機能」を十分発揮するものとなっている。
【００４２】
上記課題を解決するために、請求項４に係る発明の採った手段は、上記請求項１に記載のパイプ吊下装置１００のためのパイプ取付装置１０について、
「開閉機構１４を、枢軸１４ｍによって前記ベース１１に回動可能に連結される小判型のものとするとともに、この開閉機構１４をハンドル１６によって回動操作するようにしたこと」
である。
【００４３】
この請求項４に係るパイプ取付装置１０では、小判型の開閉機構１４を、これに係合させたハンドル１６によって回動操作するのであるが、この場合の開閉機構１４は、両ホルダーアーム１２の上端部間を広げていたものである。ハンドル１６によって開閉機構１４による両ホルダーアーム１２の上端部間の広げが解除されると、図７の（ｂ）に示すように、各ホルダーアーム１２の枢軸１３より下側部分はスプリング１５によって広げられることになるのである。
【００４４】
このパイプ取付装置１０では、小判型板という極めて簡単な構造の開閉機構１４を採用しているため構造が簡単であり、この小判型の開閉機構１４は、これに係合させたハンドル１６によって簡単に回動操作し得るものとなっているのである。
【００４５】
従って、この請求項４に係るパイプ取付装置１０にあっては、上記請求項１のそれと同様な機能を発揮する他、開閉機構１４の構造が簡単になっているのである。
【００４６】
なお、上記請求項１に記載のパイプ吊下装置１００のためのパイプ取付装置１０については、
「開閉機構１４を、ベース１１に対して進退可能にされて一端がホルダーアーム１２に連結された軸１７と、この軸１７の他端に連結ピン１４ｑによって連結したハンドル１６と、連結ピン１４ｑの両側にそれぞれ位置する枢軸１４ｐ・１４ｐによってハンドル１６とベース１１にそれぞれ連結されて、ベース１１に対して傾動するリンク板１４ｎとにより構成して、
ハンドル１６をリンク板１４ｎ側に回動させたとき、軸１７を引き出してホルダーアーム１２を開放するようにし、ハンドル１６をリンク板１４ｎとは反対側に回動させたとき、軸１７を押し出してホルダーアーム１２を閉じるとともに、連結ピン１４ｑが両枢軸１４ｐ・１４ｐを結ぶ線より外側になったときハンドル１６の戻りを固定する」
ようにすることもできる。
【００４７】
このようにしたパイプ取付装置１０では、図８及び図９に示すように、図示右側のホルダーアーム１２がベース１１に対して固定的に連結してあり、図示左側のホルダーアーム１２がベース１１に対して開閉可能に連結してある。図示左側のホルダーアーム１２の上部には、軸１７の図示左端が傾動可能に連結してあって、この軸１７の他の部分は、ベース１１、つまり図示右側のホルダーアーム１２の上部に対して進退可能にしてある。
【００４８】
そして、このパイプ取付装置１０では、開閉機構１４が、ベース１１に対して進退可能にされて一端がホルダーアーム１２に連結された軸１７と、この軸１７の他端に連結ピン１４ｑによって連結したハンドル１６と、連結ピン１４ｑの両側にそれぞれ位置する枢軸１４ｐ・１４ｐによってハンドル１６とベース１１にそれぞれ連結されて、ベース１１に対して傾動するリンク板１４ｎとにより構成してある。
【００４９】
つまり、この軸１７の図示右端には、連結ピン１４ｑによってハンドル１６が取り付けてあり、これらのハンドル１６及び軸１７の間には、連結ピン１４ｑの両側にある２つの枢軸１４ｐによって連結したリンク板１４ｎが配置してある。換言すれば、図８及び図９の各（ｂ）に示すように、１つの連結ピン１４ｑと、２つの枢軸１４ｐによって連結されているハンドル１６、軸１７、及びリンク板１４ｎによって「リンク」が形成されているのである。特に、ハンドル１６については、図９の（ｂ）に示すように、その柄の部分に対して枢軸１４ｐから直交する部分がＬ字状に延在していて、この延在部分の先端に軸１７に繋がる連結ピン１４ｑを有したものとなっている。
【００５０】
以上の通り、本発明においては、
「掘削された溝の両側に設置された土留めパネル４０間に突っ張り施工され、埋設すべきパイプＰを吊下するパイプ吊下装置１００のためのパイプ取付装置１０であって、
パイプ吊下装置１００を、中央に位置することになる装置本体１００Ａに対して上下方向の位置調整可能な縦軸２０と、前記装置本体１００の横方向に対して伸縮自在で装置本体１００Ａを位置調整自在に支持する横軸３０とを備えたものとし、
縦軸２０の下端に連結されるベース１１と、このベース１１に連結されて、パイプＰを掴む左右一対のホルダーアーム１２・１２と、これらのホルダーアーム１２・１２の少なくとも一方を、他方に対して開閉させる開閉機構１４とを備えたこと」
にその構成上の主たる特徴があり、これにより、パイプ取付部、つまりパイプ吊下装置１００とパイプＰとの一体化を確実に行え、埋設後のパイプＰの周囲から簡単に外せ、さらには再使用を簡単に行うことのできるパイプ吊下装置１００用のパイプ取付装置１０を提供することができるのである。
【００５１】
これとは反対に、ハンドル１６をリンク板１４ｎとは反対側に回動させると、図８の（ｂ）に示すように、リンク板１４ｎの寸法規制によって、軸１７が図示左側に押し込まれるから、ホルダーアーム１２は上記とは逆に閉じられるのである。さらに、ハンドル１６をリンク板１４ｎとは反対側に回動させると、図８の（ｂ）から解るように、連結ピン１４ｑが両枢軸１４ｐ・１４ｐを結ぶ線より外側になるから、ハンドル１６の戻りが規制されることになって、このハンドル１６は不測の力によっては回動しない状態となる。つまり、ハンドル１６は、その不用意な戻りがないように固定されることになって、ホルダーアーム１２の閉じ状態が確実に維持されるのである。なお、「連結ピン１４ｑが両枢軸１４ｐ・１４ｐを結ぶ線より外側になる」とは、図８の（ｂ）を参照した場合、連結ピン１４ｑが両枢軸１４ｐ・１４ｐを結ぶ線より図示下側になることを意味するものである。
【００５２】
従って、このようにしたパイプ取付装置１０にあっては、上記請求項１のそれと同様な機能を発揮する他、「リンク機構」のメリットを十分生かせるものとなっていて、しかもホルダーアーム１２の閉じ状態が確実に維持されるのである。
【発明の効果】
【００５３】
以上の通り、本発明においては、
「掘削された溝の両側に設置された土留めパネル４０間に突っ張り施工され、埋設すべきパイプＰを吊下するパイプ吊下装置１００のためのパイプ取付装置１０であって、
パイプ吊下装置１００を、中央に位置することになる装置本体１００Ａに対して上下方向の位置調整可能な縦軸２０と、パイプ吊下装置１００の横方向に対して伸縮自在で装置本体１００Ａを位置調整自在に支持する横軸３０とを備えたものとし、
パイプ取付装置１０を、縦軸２０の下端に連結されるベース１１と、このベース１１に連結されて、パイプＰを掴む左右一対のホルダーアーム１２・１２と、これらのホルダーアーム１２・１２の少なくとも一方を、他方に対して開閉させる開閉機構１４とを備えたものとするとともに、
各ホルダーアーム１２を、その内側面がパイプＰの外形に沿うような左右同形の円弧状にするとともに、各ホルダーアーム１２の先端部を、パイプＰの中心５０を通る水平線５１より下側に延在させて、パイプＰの外面に当接する係止部１２ａとしたこと」
にその構成上の主たる特徴があり、これにより、パイプ取付部、つまりパイプ吊下装置１００とパイプＰとの一体化を確実に行え、埋設後のパイプＰの周囲から簡単に外せ、さらには再使用を簡単に行うことのできるパイプ吊下装置１００用のパイプ取付装置１０を提供することができるのである。特に、各ホルダーアーム１２を、その内側面がパイプＰの外形に沿うような左右同形の円弧状にしたから、大きな面積の材料を必要としないだけでなく、型成形する場合の製造を容易にすることができ、また、各ホルダーアーム１２の先端部を、パイプＰの中心５０を通る水平線５１より下側に延在させて、パイプＰの外面に当接する係止部１２ａとしたから、各ホルダーアーム１２及びその係止部１２ａによってパイプＰのほぼ全体を抱き抱えることができて、パイプＰの両ホルダーアーム１２による掴みを効率的に行うことができるのである。
【図面の簡単な説明】
【００５４】
【図１】本発明に係るパイプ取付装置１０をパイプ吊下装置１００の縦軸２０に取り付けた状態の正面図である。
【図２】図１に示したパイプ取付装置１０を拡大して示すもので、（ａ）は正面図、（ｂ）は平面図、（ｃ）は右側面図である。
【図３】図１に示したパイプ取付装置１０の各ホルダーアーム１２を開放したときの状態を拡大して示すもので、（ａ）は正面図、（ｂ）は平面図である。
【図４】他の実施例に係るパイプ取付装置１０を示すもので、（ａ）は正面図、（ｂ）は平面図、（ｃ）は右側面図である。
【図５】図４に示したパイプ取付装置１０の両開閉機構１４を開放させたときの部分拡大正面図である。
【図６】別の実施例に係るパイプ取付装置１０を示すもので、（ａ）は正面図、（ｂ）は平面図、（ｃ）は右側面図である。
【図７】図６に示したパイプ取付装置１０の開閉機構１４による作用を示すもので、（ａ）は両ホルダーアーム１２を閉じ状態にしたときの正面図、（ｂ）は両ホルダーアーム１２を開放した状態にした正面図である。
【図８】さらに他の実施例に係るパイプ取付装置１０を示すもので、（ａ）は正面図、（ｂ）は平面図、（ｃ）は右側面図である。
【図９】図８に示したパイプ取付装置１０のホルダーアーム１２を開放したときの状態を示すもので、（ａ）は正面図、（ｂ）は平面図である。
【図１０】従来のパイプ取付装置１０であって「ひも」を使用しているものを示す正面図である。
【図１１】従来のパイプ取付部によってパイプを埋設した様子を示す斜視図である。
【図１２】図１１に示したパイプ取付部から「ひも」を外そうとしている様子を示す部分斜視図である。
【図１３】図１１に示したパイプ取付部を無理やり引き上げている様子を示す部分斜視図である。
【発明を実施するための形態】
【００５５】
次に、上記のように構成した各請求項に係る発明を、図面に示した実施の形態に係るパイプ取付装置１０について説明するが、図１及び図２には請求項２に関連する実施例１が、図４及び図５には請求項３に関連する実施例２が、図６及び図７には請求項４に関連する実施例３が、そして図８には請求項５に関連する実施例４がそれぞれ示してあるので、以下では各実施例毎に項を分けて説明して行く。
【００５６】
各実施例の説明に入る前に、当該パイプ取付装置１０が取り付けられるべきパイプ吊下装置１００について説明すると、このパイプ吊下装置１００は、図１にも示すように、掘削された溝の両側に設置された土留めパネル４０間に突っ張り施工されるものである。つまり、このパイプ吊下装置１００は、その略中央に位置することになる装置本体１００Ａに対して、上下方向の位置調整可能な縦軸２０と、横方向に対して伸縮自在で装置本体１００Ａを位置調整自在に支持する横軸３０とを主として備えたものである。
【００５７】
このパイプ吊下装置１００は、両土留めパネル４０間にて左右の横軸３０を伸縮させて、これらの横軸３０の端部に設けてある足盤が各土留めパネル４０に当接する状態にすることにより、両土留めパネル４０間にての横軸３０の突っ張りによって支持されることになるものである。また、上述したように、このパイプ吊下装置１００を構成している装置本体１００Ａは、両横軸３０の伸縮を調整することによって、溝の略中央（換言すればパイプＰを埋設すべき場所の直上）に位置するように調整される。
【００５８】
横軸３０に直交する縦軸２０は、上記装置本体１００Ａに対して上下方向に位置調整される。この上下方向の位置調整は、以下に述べるパイプ取付装置１０によって掴まれたパイプＰが、溝内の設計された位置となるように行われる。そして、位置調整が完了した縦軸２０の下端に、本発明の各実施例に係るパイプ取付装置１０が取り付けられるのである。
【００５９】
（実施例１）
図１及び図２には、本発明の実施例１に係るパイプ取付装置１０が示してある。このパイプ取付装置１０は、縦軸２０の下端に螺着されるベース１１を備えているが、このベース１１には、縦軸２０の下端を螺着するためのネジ穴２１が、例えば図２の（ｂ）に示したように形成してある。このネジ穴２１は、例えば図４の（ｂ）に示したように、複数形成することがあるが、その理由は、当該ベース１１の縦軸２０に対する取付位置を少しズラせたい場合があったり、縦軸２０ではなくてパイプＰの中心５０を設計位置に合わせるための機器を接続したい場合があるためである。
【００６０】
また、ベース１１に形成してあるネジ穴２１によって縦軸２０の下端を連結するようにしてあることは、当該パイプ取付装置１０によってパイプＰを掴んだまま、ベース１１の縦軸２０に対する位置調整が行えることを意味している。つまり、当該パイプ取付装置１０によって掴んだパイプＰの、上下方向の微調整が行えるのである。
【００６１】
このベース１１の前面には、図２の（ｃ）に示したように、枢軸１３によって左右一対のホルダーアーム１２が開閉可能に連結されるのであり、これら各ホルダーアーム１２の先端部は、図２の（ａ）に示したように、パイプＰの中心５０を通る水平線５１より下側に延在して、パイプＰの外面に当接する係止部１２ａとしてある。また、各ホルダーアーム１２の内面は、パイプＰの外面に沿うように、パイプＰの直径に合わせた円弧状にしてある。
【００６２】
勿論、各ホルダーアーム１２の先端部に係止部１２ａが形成してあれば、各ホルダーアーム１２の内面の円弧がパイプＰの直径に合ったものでなくても、各ホルダーアーム１２の内面全体をパイプＰの外面に完全に当接させることはできないが、パイプＰの抱き抱えについては十分行える。換言すれば、各ホルダーアーム１２の先端部に係止部１２ａが形成してあれば、径が異なるパイプＰの抱き抱えは行えるのであり、複数種類のパイプＰに対応できることになる。
【００６３】
一般的に、パイプＰは完全な円筒状のものとして形成されるものであり、埋設するにあたって方向性がないようにしてある。このため、各ホルダーアーム１２の内面が円弧状になっていて、各係止部１２ａがパイプＰの中心５０を通る水平線５１より下側に延在して、パイプＰの外面に当接するようになっていれば、図２の（ａ）に示したように、これら両ホルダーアーム１２によるパイプＰの抱き抱えが確実になる。この抱き抱え量は、図２の（ａ）に示したように、各ホルダーアーム１２の水平線５１での接点から下ろした垂線と、各係止部１２ａの内側端部から下ろした垂線との距離、つまり図中の係止寸法５２となるのである。
【００６４】
なお、各ホルダーアーム１２の先端部を係止部１２ａとしない場合には、各ホルダーアーム１２の内面にパイプＰを保持するための加工、例えば突起や滑り止めを設けたり、あるいは各ホルダーアーム１２の内面を円弧状にしなければならないが、それには、各ホルダーアーム１２の形状をさらに工夫したりしなければならないことになる。
【００６５】
さて、これら両ホルダーアーム１２の開閉は、開閉機構１４によって行われる。この実施例１における開閉機構１４は、各ホルダーアーム１２のいずれか少なくとも一方の上端部に取り付けた連結部材１２ｂと、この連結部材１２ｂに回動可能に連結された開閉軸１４ｂと、この開閉軸１４ｂに連結した連結ブロック１４ａと、この連結ブロック１４ａに連結した開閉部材１４ｃとにより構成されている。
【００６６】
この実施例１のパイプ取付装置１０にあっては、その開閉機構１４を操作すると、図２及び図３の各（ａ）の比較から理解できるように、各ホルダーアーム１２上端部の連結部材１２ｂが左右に移動して、各ホルダーアーム１２の枢軸１３より下側部分が左右に開閉するのであり、これによって、各ホルダーアーム１２の開閉がなされるのである。
【００６７】
具体的には、図２の（ａ）に示す状態は、各ホルダーアーム１２を閉じてパイプＰを掴んだものであるが、この状態から各ホルダーアーム１２を開放するには、まず開閉部材１４ｃを、図３の（ａ）に示した矢印のように、図示上方に移動させるのである。この開閉部材１４ｃの図示上方への移動は、例えば、金槌等の手近にある道具によってこの開閉部材１４ｃを殴打すれば十分行えるものである。
【００６８】
この開閉部材１４ｃには左右の連結ブロック１４ａを介して左右の開閉軸１４ｂの各内端が連結してあるから、開閉部材１４ｃが上動することによって両開閉軸１４ｂが内側に引き込まれることになる。そして、各開閉軸１４ｂには連結部材１２ｂを介して各ホルダーアーム１２の上部が連結してあるから、各ホルダーアーム１２は、図３の（ａ）に示した矢印のように、枢軸１３を中心に係止部１２ａを開放する方向に回動するのである。
【００６９】
勿論、各ホルダーアーム１２を閉じるには、以上の操作の逆、つまり開閉部材１４ｃを殴打する等して下動させればよいことは、言うまでもない。なお、各開閉軸１４ｂに連結した連結ブロック１４ａの端部は、図２の（ｂ）に示すように、互いに噛み合う形状にしてあって、開閉部材１４ｃが図２の（ａ）に示す位置から僅かに下がった位置で当接したとき、それ以上開閉部材１４ｃが下がらないようにしてある。換言すれば、各ホルダーアーム１２にこれを開こうとするする力が加わったとしても、開閉部材１４ｃはそれ以上下がらないようになっているから、各ホルダーアーム１２が不用意に開くことはないのである。
【００７０】
特に、このパイプ取付装置１０にあっては、その開閉機構１４が上記のようになっていて、開閉部材１４ｃの外端を叩く等して上下させて各ホルダーアーム１２の開放を行うのであるから、現場での各ホルダーアーム１２の開閉操作が非常に簡単に行えるのである。
【００７１】
（実施例２）
図４及び図５には、実施例２に係るパイプ取付装置１０が示してある。この実施例２は勿論、これ以降の実施例３及び実施例４の説明では、上記実施例１で説明した各部材と共通する部材を使用していることがあるが、その共通する部材については、図４及び図５中に実施例１で説明したのと同一符号を付して、その説明を省略することがある。
【００７２】
この実施例２に係るパイプ取付装置１０の、実施例１のそれと大きく異なる点は、両ホルダーアーム１２の開放を、各枢軸１３に掛装した２本のスプリング１５によって行い、両ホルダーアーム１２の閉じ、及びこの閉じ状態の維持を、両ホルダーアーム１２の上端部間に開閉機構１４を差し込むことによって行うようにしていることである。換言すれば、この実施例２における開閉機構１４は、各枢軸１３に掛装した２本のスプリング１５による付勢力と、両ホルダーアーム１２の上端部間に差し込まれる力とによって機能するものになっていると言える。
【００７３】
この実施例２において、各ホルダーアーム１２は、ベース１１に取り付けた枢軸１３に対して回動可能に連結してあり、また、これら各枢軸１３の近傍に位置する各ホルダーアーム１２にはスプリング掛け１２ｃが固定的に設けてある。そして、図４の（ａ）に示したように、各枢軸１３にはそれぞれスプリング１５のつる巻き部が掛装してあり、このスプリング１５の先端１５ａは、他の枢軸１３及びスプリング掛け１２ｃに係止させてある。
【００７４】
以上の各スプリング１５は、所謂「ねじりばね（トーションスプリングとも言われているもの）」であり、中央のつる巻き部から左右に先端１５ａが突出しているタイプのものである。そこで、これらの先端１５ａ間に力（つまりトーション）を加えながら、一方の先端１５ａを、当該スプリング１５が掛装してあるのとは別の枢軸１３に係止させるとともに、他方の先端１５ａを、当該スプリング１５によって開放したい側のホルダーアーム１２上のスプリング掛け１２ｃに係止させることにより、各スプリング１５はその機能を発揮するものである。
【００７５】
一方、両ホルダーアーム１２の上端部間に差し込まれる開閉機構１４は、図５にも示したように、前面側に突出したつまみ１４ｄと、このつまみ１４ｄの左右の上下方向に位置する２本の長穴１４ｅと、これら各長穴１４ｅ内に挿通されて前記ベース１１側に螺着されるネジ１４ｆと、上記つまみ１４ｄの裏面側に突出形成したくさびロック１４ｇと、このくさびロック１４ｇの両側に形成した上下方向の固定面１４ｈと、これらの固定面１４ｈの下端側に形成したくさび面１４ｉとを備えている。
【００７６】
図５に示した開閉機構１４は、両ホルダーアーム１２の上端部間から引き抜かれた状態にあり、各ホルダーアーム１２の上端部は、各スプリング１５の付勢力によって当接した状態にある。つまり、各ホルダーアーム１２は、開閉機構１４が各ホルダーアーム１２間に挿入されているときには、図４の（ａ）に示したように、その下部が閉じた状態にあるのであるが、開閉機構１４が引き抜かれたときには、図５に示したように、その上端部が当接し合った状態となるのである。
【００７７】
次に、図５に示した状態から、図４の（ａ）に示した状態にするには、開閉機構１４を各ホルダーアーム１２の上部間に強制的に挿入するのである。各ホルダーアーム１２の上端部の内側には、図５にも示したように、係合面１２ｄが形成してあるから、これら２つの係合面１２ｄが向き合っていることによって、くさびロック１４ｇの下端に形成してあるくさび面１４ｉの入り込む空間が存在している。そこで、つまみ１４ｄ等を利用して当該開閉機構１４を押し込めば、各くさび面１４ｉによって係合面１２ｄが開かれる。つまり、各ホルダーアーム１２が枢軸１３を中心に回動することになり、各ホルダーアーム１２の下部は閉じられることになるのである。
【００７８】
各くさび面１４ｉが係合面１２ｄを押し広げて行けば、次にはくさびロック１４ｇの両側に形成してあった固定面１４ｈが係合面１２ｄに当接することになる。これら左右の固定面１４ｈは、互いに平行になっているから、それ以上の係合面１２ｄの押し広げは行わないし、各ホルダーアーム１２の上端部のこの状態を維持することになる。なお、この間、ベース１１への螺着状態が開放されている各ネジ１４ｆは、開閉機構１４に形成してある各長穴１４ｅ内にて案内されて、開閉機構１４全体の移動を上下方向のみに限定している。
【００７９】
開閉機構１４を押し込むことによって、各ホルダーアーム１２が図４の状態になったときには、各ネジ１４ｆのベース１１への螺着を行う。これにより、開閉機構１４のベース１１に対する移動が規制されるとともに、各ホルダーアーム１２の閉じ状態がくさびロック１４ｇの両固定面１４ｈによって維持されることになるのである。
【００８０】
勿論、パイプＰの埋設後には、当該開閉機構１４を引き抜くことによって、各ホルダーアーム１２を、図５にも示した開放状態にすれば、各ホルダーアーム１２はパイプＰから外せる状態になる。そこで、当該ホルダーアーム１２を土中から引き抜くようにすれば、当該パイプ取付装置１０の外しは、何ら問題なく行えるのである。
【００８１】
（実施例３）
図６及び図７には、実施例３に係るパイプ取付装置１０が示してあるが、この実施例３のパイプ取付装置１０では、実施例２における上記スプリング１５を採用しているものであり、また、実施例２におけるくさび面１４ｉやくさびロック１４ｇを有した開閉機構１４とは異なって、図６の（ａ）に示したように、小判型の開閉機構１４が採用される。この開閉機構１４は、枢軸１４ｍによってベース１１に回動可能に連結したものであり、枢軸１４ｍの両側に位置する部分には、ハンドル１６の係止ピン１６ａが係止されるハンドル取付穴１４ｊが形成してある。
【００８２】
また、この小判型の開閉機構１４両側には、各ホルダーアーム１２の上部が当接し得るようになっており、特にこの開閉機構１４の長軸側端部が、図６の（ａ）に示したように、各ホルダーアーム１２の上部を押し広げることができるようにしているものである。
【００８３】
この実施例３では、開閉機構１４の長軸側端部が当接する予定の箇所、つまり各ホルダーアーム１２の上部内側面に、図７にも示したように、板バネ１４ｋが取り付けてある。各板バネ１４ｋの中央部は外側に向けて凹ませてあり、この凹所内に開閉機構１４の長軸側端部が入り込んだときには、当該開閉機構１４の固定を行うものである。換言すれば、この各板バネ１４ｋは、開閉機構１４の回動を円滑に行わせるとともに、その凹部に開閉機構１４の長軸側端部が入り込んだときには、開閉機構１４の固定をも行うものである。
【００８４】
さて、この実施例３における開閉機構１４は、図７に示したように、ハンドル１６によって回動されるものである。このハンドル１６の裏面には、図７の（ａ）に示したように、開閉機構１４側の両ハンドル取付穴１４ｊ内に係合される係止ピン１６ａが立設してあって、これらの係止ピン１６ａを使用して開閉機構１４に連結されるものである。
【００８５】
開閉機構１４に連結されたハンドル１６を、例えば図７の（ｂ）に示した位置にまで回動すれば、当然開閉機構１４も回動されることになり、それまで図７の（ａ）に示したように各板バネ１４ｋに当接していた長軸側端部が板バネ１４ｋから離れることになる。これにより、各ホルダーアーム１２の上端部を互いに広げていた力がなくなるから、各ホルダーアーム１２の下端部はスプリング１５の付勢力によって開放され、各ホルダーアーム１２は、図７の（ｂ）に示したように、パイプＰの表面から離れパイプＰの抱え込みが解除されることになるのである。
【００８６】
勿論、ハンドル１６を、図７の（ｂ）に示した位置から、図７の（ａ）に示した位置に回動させれば、開閉機構１４によって各ホルダーアーム１２の上端部は広げられるから、各ホルダーアーム１２は再びその閉じ状態に戻ることになる。
【００８７】
以上説明した実施例１〜実施例３では、左右一対のホルダーアーム１２が互いに同量づつ開閉するものであるが、パイプＰを抱え込んだ両ホルダーアーム１２をパイプＰから外すには、各ホルダーアーム１２が同量づつ開閉する必要はない。各ホルダーアーム１２の、例えば各係止部１２ａ間の寸法がパイプＰの外形直径より大きくなれば良いからである。換言すれば、パイプＰを抱き抱えるためには、ホルダーアーム１２は左右一対有った方がよいのであるが、抱き抱えていたパイプＰから離れるためには、開閉するホルダーアーム１２は１本であってもよい。そのような例を示すのが、次に説明する実施例４に係るパイプ取付装置１０なのである。
【００８８】
（実施例４）
図８及び図９には、実施例４に係るパイプ取付装置１０が示してあるが、この実施例４のパイプ取付装置１０の基本構成は、実施例１のそれとよく似ている。このパイプ取付装置１０においても、図８の（ａ）にも示すように、各ホルダーアーム１２は、枢軸１３によってベース１１に回動可能に連結されているが、図示右側のホルダーアーム１２は、上記枢軸１３及び固定ピン１２ｅによってベース１１側に固定してある。なお、図示右側のホルダーアーム１２の上部にだけ取付板１４ｌが取り付けてあり、この取付板１４ｌはベース１１側に固定してある。
【００８９】
また、この取付板１４ｌには、軸１７が進退可能に組み込んであって、この軸１７は、その図示右端部に連結してあるハンドル１６によって進退されるものである。一方、この軸１７の図示左端部は、左側のホルダーアーム１２の上部に枢軸１７ａによって遥動可能に連結してある。なお、左側のホルダーアーム１２の上端部内側は、上記取付板１４ｌの左側面に当接することによってそれ以上の進行が止められるようになっている。
【００９０】
さらに、この軸１７の図示右端には、連結ピン１４ｑによってハンドル１６が取り付けてあり、これらのハンドル１６及び軸１７の間には、連結ピン１４ｑの両側にある２つの枢軸１４ｐによって連結したリンク板１４ｎが配置してある。換言すれば、図８及び図９の各（ｂ）に示したように、１つの連結ピン１４ｑと、２つの枢軸１４ｐによって連結されているハンドル１６、軸１７、及びリンク板１４ｎによって「リンク」が形成されているのである。特に、ハンドル１６については、図９の（ｂ）に示すように、その柄の部分に対して枢軸１４ｐから直交する部分がＬ字状に延在していて、この延在部分の先端に軸１７に繋がる連結ピン１４ｑを有している。
【００９１】
そこで、ハンドル１６を略９０度リンク板１４ｎ側に回転させることにより、図９の（ｂ）に示したように、リンク板１４ｎの寸法規制を受けることによって、軸１７が図示右側に引き込まれる。この軸１７は、図示左側のホルダーアーム１２に連結してあるから、このホルダーアーム１２の枢軸１３より下方部分が、図９の（ａ）に示したように、開くことになる。
【００９２】
換言すれは、図８では、図示左側のホルダーアーム１２が軸１７によって閉じた位置まで押された状態が記載してあるが、上述したハンドル１６を図９の（ｂ）に示したように回転させることにより、この図示左側のホルダーアーム１２は、図９に示したように、開放される位置まで引かれるのである。
【００９３】
これとは反対に、ハンドル１６をリンク板１４ｎとは反対側に回動させると、図８の（ｂ）に示したように、リンク板１４ｎの寸法規制によって、軸１７が図示左側に押し込まれるから、ホルダーアーム１２は上記とは逆に閉じられる。さらに、ハンドル１６をリンク板１４ｎとは反対側に回動させると、図８の（ｂ）から解るように、連結ピン１４ｑが両枢軸１４ｐ・１４ｐを結ぶ線より外側になるから、ハンドル１６の戻りが規制されることになって、このハンドル１６は不測の力によっては回動しない状態となる。つまり、ハンドル１６は、ホルダーアーム１２側からこれを開こうとする力が加わった場合であっても、その不用意な戻りがないように固定されるのである。
【００９４】
なお、ハンドル１６の固定時において、例えばベース１１とリンク板１４ｎとの間の隙間に「キー」を差し込んで、このリンク板１４ｎも不用意に動かないようにすることによって、ハンドル１６の固定を確実化することもなされる。
【００９５】
つまり、この実施例４のパイプ取付装置１０では、ハンドル１６の回動操作によって軸１７の進退を行い、これによって、「リンク機構」のメリットを十分生かして図示左側のホルダーアーム１２の開閉のみを行うようにしたものであり、しかもホルダーアーム１２を閉じたときのハンドル１６の固定を確実に維持するのである。
【符号の説明】
【００９６】
１０    パイプ取付装置
１１    ベース
１２    ホルダーアーム
１２ａ  係止部
１２ｂ  連結部材
１２ｃ  スプリング掛け
１２ｄ  係合面
１２ｅ  固定ピン
１３    枢軸
１４    開閉機構
１４ａ  連結ブロック
１４ｂ  開閉軸
１４ｃ  開閉部材
１４ｄ  つまみ
１４ｅ  長穴
１４ｆ  ネジ
１４ｉ  くさび面
１４ｇ  くさびロック
１４ｈ  固定面
１４ｊ  ハンドル取付穴
１４ｋ  板バネ
１４ｌ  取付板
１４ｍ  枢軸
１４ｎ  リンク板
１４ｐ  枢軸
１４ｑ  連結ピン
１５    スプリング
１５ａ  先端
１６    ハンドル
１６ａ    係止ピン
１７    ネジ軸１７
１７ａ  枢軸
２０    縦軸
２１    ネジ穴
３０    横軸
４０    土留めパネル
５０    中心
５１    水平線
５２    係止寸法
１００    パイプ吊下装置
１００Ａ  装置本体
Ｐ    パイプ
【図１】
0005926508.tif 000002
【図２】
0005926508.tif 000003
【図３】
0005926508.tif 000004
【図４】
0005926508.tif 000005
【図５】
0005926508.tif 000006
【図６】
0005926508.tif 000007
【図７】
0005926508.tif 000008
【図８】
0005926508.tif 000009
【図９】
0005926508.tif 000010
【図１０】
0005926508.tif 000011
【図１１】
0005926508.tif 000012
【図１２】
0005926508.tif 000013
【図１３】
0005926508.tif 000014